(57)【特許請求の範囲】
【請求項１】
天井に設けたレールに沿って移動するランナから垂下する吊りボルトにより吊支され、かつ左右１対の縦杆の各端部同士を、横杆をもって互いに連結してなる方形枠状のフレームの前後両面にパネルを装着してなる移動間仕切装置における間仕切パネルであって、
前記フレームの少なくとも上部または下部の前後両面に、透視可能な材料製のパネルを装着するとともに、前記フレームにおける上部の横杆およびそれに装着された部材の前後面および下面、または前記フレームにおける下部の横杆およびそれに装着された部材の前後面および上面を、遮蔽板をもって覆い、かつ前後の前記パネルを、透視可能なパネル基材の外周縁を、左右の縦サッシ、および上下部サッシをもって囲繞したものとし、前記左右の縦サッシと、上下部サッシのうち、内側に前記遮蔽板が介在しないものとの裏面に、前記フレーム内において、互いに前後に対向して、先端同士が突き合わされるか、又は近接するようにした突片をそれぞれ設け、さらに、前記フレームの左右の縦杆に、ねじ挿通孔と長手方向を向く長孔とを設け、前後の側縁に、透視可能パネルにおける縦サッシに設けた係止孔に係合しうるフックを有するとともに、前記フレームの縦杆における長孔を挿通する移動操作用のボルトが螺合しうるねじ孔と、前記フレームの縦杆におけるねじ挿通孔を挿通する固定用ねじが螺合するねじ孔とが設けられた係止部材を、前記フレームの両縦杆の内側面に沿って配設し、前記係止部材の各フックを、対応する透視可能パネルにおける縦サッシの係止孔の縁に係合させるとともに、前記係止部材を、固定用ねじをもって縦杆にねじ止めし、さらに、透視可能パネルの縦サッシに設けた突片が、前記係止部材より内側に位置して、係止部材の内側を覆うようにしたことを特徴とする移動間仕切装置における間仕切パネル。
【請求項２】
フレームの上下いずれかの端部に、フックに係合している係止孔の縁がフックから外れる方向への透視可能パネルの移動を阻止する外向き突片を設けたことを特徴とする請求項１記載の移動間仕切装置における間仕切パネル。
【発明の詳細な説明】
【技術分野】
【０００１】
本発明は、オフィス等の室内を仕切る移動間仕切装置における間仕切パネルに関する。
【背景技術】
【０００２】
天井に設けたレールに沿って移動するランナに吊支した間仕切パネルを、レールに沿って移動しうるようにした移動間仕切装置における従来の間仕切パネルの内部には、ランナから垂下する吊りボルトの下端部を固定する手段や、間仕切パネルと、天井、床、または側壁等との間の隙間を閉塞するための上部閉塞部材、下部閉塞部材、および側部閉塞部材、並びにそれらを移動させる手段等の多くの部材が設けられている(例えば特許文献１参照)。
【０００３】
このような従来の移動間仕切装置の間仕切パネルにおける方形枠状のフレームの前後両面に、透明のガラスパネル等の透視可能パネルを装着すると、上述のような内部の部材が外部から見えて見苦しいので、従来のこの種の間仕切パネルにおいては、透視可能パネルを装着することができなかったのが現状である。
【特許文献１】特開２００２−１７４０６８号公報
【発明の開示】
【発明が解決しようとする課題】
【０００４】
本発明は、従来の技術が有する上記のような問題に鑑み、内部の構成部材が外部から見えることなく、体裁よく透視可能パネルを装着するすることができ、しかも、部品点数が少なく、構造が簡単な移動間仕切装置における間仕切パネルを提供することを目的としている。
【課題を解決するための手段】
【０００５】
本発明によると、上記課題は次のようにして解決される。
(１)  天井に設けたレールに沿って移動するランナから垂下する吊りボルトにより吊支され、かつ左右１対の縦杆の各端部同士を、横杆をもって互いに連結してなる方形枠状のフレームの前後両面にパネルを装着してなる移動間仕切装置における間仕切パネルにおいて、前記フレームの少なくとも上部または下部の前後両面に、透視可能な材料製のパネルを装着するとともに、前記フレームにおける上部の横杆およびそれに装着された部材の前後面および下面、または前記フレームにおける下部の横杆およびそれに装着された部材の前後面および上面を、遮蔽板をもって覆い、かつ前後の前記パネルを、透視可能なパネル基材の外周縁を、左右の縦サッシ、および上下部サッシをもって囲繞したものとし、前記左右の縦サッシと、上下部サッシのうち、内側に前記遮蔽板が介在しないものとの裏面に、前記フレーム内において、互いに前後に対向して、先端同士が突き合わされるか、又は近接するようにした突片をそれぞれ設け、さらに、前記フレームの左右の縦杆に、ねじ挿通孔と長手方向を向く長孔とを設け、前後の側縁に、透視可能パネルにおける縦サッシに設けた係止孔に係合しうるフックを有するとともに、前記フレームの縦杆における長孔を挿通する移動操作用のボルトが螺合しうるねじ孔と、前記フレームの縦杆におけるねじ挿通孔を挿通する固定用ねじが螺合するねじ孔とが設けられた係止部材を、前記フレームの両縦杆の内側面に沿って配設し、前記係止部材の各フックを、対応する透視可能パネルにおける縦サッシの係止孔の縁に係合させるとともに、前記係止部材を、固定用ねじをもって縦杆にねじ止めし、さらに、透視可能パネルの縦サッシに設けた突片が、前記係止部材より内側に位置して、係止部材の内側を覆うようにする。
【０００６】
(２)  上記(１)項において、フレームの上下いずれかの端部に、フックに係合している係止孔の縁がフックから外れる方向への透視可能パネルの移動を阻止する外向き突片を設ける。
【発明の効果】
【０００７】
本発明によると、次のような効果を奏することができる。
上記(１)項の発明によると、フレームにおける上部の横杆や下部の横杆、およびそれらに装着された部材等は、遮蔽板により覆われるとともに、フレームにおけるそれ以外の部分とそれに装着された部材は、互いに前後に対向する突片をもって、内側が覆われ、フレーム内に装着された内部の構成部材が、透視可能パネルを通して、外部から見えることがなく、体裁よく透視可能パネルを装着するすることができ、しかも、突片を透視可能パネルと一体的に形成することができるので、部品点数を少なくすることができ、また構造を簡素化することができる。
【０００８】
また、フレームの左右の縦杆の内側に、係止部材を配設し、フレームの両面に、透視可能パネルを、それぞれの係止孔に、係止部材のフックが嵌合するようにして添設し、次いで、移動操作用ボルトを、縦杆の長孔を通して、各係止部材の移動用ねじ孔に螺合し、移動操作用ボルトとともに、係止部材を、各フックの先端が向く方向に移動させることにより、各フックを対応する各係止孔の縁に係止させ、その状態で、縦杆のねじ挿通孔に挿通した固定ねじを、係止部材の固定ねじ用のねじ孔に螺合して、係止部材を縦杆に固着することにより、間仕切パネルを、現場等において、一人でも簡単かつ迅速に組み立てることができる。
なお、間仕切パネルの完成後、移動操作用のボルトは、外して、次の間仕切パネルの組立てに再利用することができる。  
また、フレームと、複数のパネルと、係止部材とのわずかの部品点数だけで、間仕切パネルを簡単に形成することができ、構造を簡素化することができる。
さらに、係止部材は、その内側を、互いに前後に対向する突片により覆われるので、透視可能パネルを通して、外部から見えることがなく、体裁がよい。
【０００９】
上記(２)項の発明によると、フレームの上下いずれかの端部に、フックに係合している係止孔の縁がフックから外れる方向への透視可能パネルの移動を阻止する外向き突片を設けてあるので、透視可能パネルは、フレームに、外れることなく、確実に装着される。
【発明を実施するための最良の形態】
【００１０】
以下、本発明の実施形態を、添付図面を参照して説明する。  
図１に示すように、この実施形態の間仕切パネル１は、室内の天井高さに応じた上下寸法としてあり、その上半部を、透明もしくは半透明の板ガラスもしくはアクリル板、またはそれらに模様を付したもの、網板、格子状板等よりなる前後１対の透視可能パネル２により構成し、下半部を、前後１対の鋼板製化粧パネル３により構成してあり、その上端部を、天井４の下面に固着したレール５に沿って移動する１対のランナ６、６に、吊りボルト７、７をもって吊支し、下端が床８の床面ＦＬに近接した状態で移動するようになっている。この間仕切パネル１の上半部の透視可能パネル２により、間仕切パネル１によって仕切られた両室内の視認性を確保するようにしてある。
【００１１】
ランナ６は、どのようなタイプのものでもよいが、この例では、図２に示すように、吊りボルト７の上端部に、スペーサ９を介して、上下に離して枢支した１対の水平ローラ１０、１１を備えるものとしてある。
上段のローラ１０は、下端が開口する下向きコ字状としたレール５の内面における中位部の一側より内向き突設したローラ受片５ａ上に、また、下段のローラ１１は、レール５の内面における下端部の他側より内向き突設したローラ受片５ｂ上に、それぞれ回転可能に支持されて、互いに逆方向に回転しつつ、レール５に沿って移動しうるようになっている。
【００１２】
間仕切パネル１の上下の端部には、間仕切パネル１の上端とレール５の下面との間、および間仕切パネル１の下端と床面ＦＬとの間の隙間を閉塞する隙間閉塞部材１２、１２が、上下方向に進退自在に設けられている。
なお、この隙間閉塞部材１２、１２を移動させる手段については、本発明に直接関係しないため、図示および詳細な説明は省略する。
【００１３】
上部の隙間閉塞部材１２と、それを移動させる手段と、上部の隙間閉塞部材１２を貫通して、間仕切パネル１を吊支する吊りボルト７の下端部との前後面と下端面とは、上方に向かって開口する側面視上向コ字状の遮蔽板１３により覆われており、間仕切パネル１内の部品が透視可能パネル２を通して、外方から視認されることを防止している。
【００１４】
各透視可能パネル２は、所要の縦横寸法に形成された板ガラス等のパネル基材２ａと、パネル基材２ａの上縁を縁取る上部サッシ１４と、パネル基材２ａの左右の両側縁を縁取る１対の縦サッシ１５、１５と、パネル基材２ａの下縁を縁取る下部サッシ１６とを備えている。
すなわち、パネル基材２ａの外周を、左右の縦サッシ１５、１５、および上下部サッシ１４、１６をもって囲繞している。
【００１５】
下部サッシ１６は、化粧パネル３の上縁と接合するための連結具、前後の透視可能パネル２、２の前後間隔を規制するスペーサ、および透視可能パネル２、２を通して、それらの下端より下方の間仕切パネル１の内部空間が視認されることを防止する遮蔽体等としての機能を有している。
【００１６】
図４に拡大して示すように、下部サッシ１６は、アルミニウム合金の押出し成形体からなり、パネル基材２ａの下縁をシール材１７を介して嵌め付けたサッシ部１６ａと、サッシ部１６ａの内側に一体化され、かつ互いに前後より突き合わされることにより、透視可能パネル２、２同士の前後間隔を保持するほぼ中空角筒状のスペーサ部１６ｂとを備えている。
なお、前後のスペーサ部１６ｂ、１６ｂは、後述する左右の縦サッシ１５における突片１５ａ、１５ａのような、板状の突片とし、その先端同士が互いに近接するように配置することもある。
【００１７】
化粧パネル３は、薄鋼板製のパネル基材３ａの外周縁を裏面側に向けて直角に折曲して折曲片３ｂを形成するとともに、その内側のパネル基材３ａの裏面に、石膏ボード等からなる所定厚さの断熱材１８を固着し、さらに、上端の折曲片３ｂの遊端に、上向きの係止片３ｃを連設したものよりなり、この係止片３ｂを、透視可能パネル２におけるサッシ部１６ａの下部とスペーサ部１６ｂとの間に形成した係合溝１６ｃに差し込み、かつ断熱材１８の裏面を、スペーサ部１６ｂの下部表面に形成した当接部１６ｄに当接させることにより、化粧パネル３の表面と、透視可能パネル２の下部サッシ１６の前面とが整合するように、化粧パネル３と透視可能パネル２との前後方向の相対移動を阻止するようにしてある。
【００１８】
図５は、上記間仕切パネル１を分解して示すものであり、左右１対の縦杆１９、１９の上下の端部同士を、横杆２０、２０により互いに連結した矩形枠状のフレーム２１の両面に、透視可能パネル２および化粧パネル３のそれぞれを、左右１対の係止部材２２をもって位置決めして固定したものよりなっている。
【００１９】
各縦杆１９は、アルミニウム合金の押出し成形体からなり、その側面には、複数のねじ挿通孔２３と上下方向に長い長孔２４との対が、その長手方向に沿って設けられている。
【００２０】
上方の横杆２０の上部及び下方の横杆２０の下部は、それぞれ上下外向きに開口し、そこに、隙間閉塞部材１２が上下動可能として収容されるようになっており、各開口の両縁には、透視可能パネル２の上端および化粧パネル３の下端を取付るための前後外向きのフランジ２０ａ、２０ａが形成されている。
【００２１】
遮蔽板１３は、その前後の側片を、フレーム２１における上部の横杆２０の前後面に接着するか、または前後の側片の上端に設けた外向き突片(図示略)を、フランジ２０ａ、２０ａの下面に当接させて、透視可能パネル２とともに、固定用ねじＢをもって、フランジ２０ａ、２０ａに固着してもよい。
【００２２】
各係止部材２２は、縦杆１９の内側に配設されるものであり、前後の側縁に複数対の上向きＬ字形のフック２５ａが一体に形成された縦長板材２５と、この板材２５の内側に沿って溶接等により一体化された平面視内向きコ字状の補強材２６とからなっており、この板材２５および補強材２６を貫通する固定用ねじ孔２７と移動操作用ねじ孔２８との対が、長手方向に沿って複数対設けられている。
これらの対は、縦杆１９に設けられた挿通孔２３と長孔２４の対に対応しており、長孔２４に移動操作用のボルト２９を挿通し、その先端部を係止部材２２のねじ孔２８に螺合して、移動操作用ボルト２９とともに係止部材２２を上下方向に移動させ、縦杆１９のねじ挿通孔２３と係止部材２２のねじ孔２７とが一致したことを目視により確認した上で、固定用ねじＢを、ねじ挿通孔２３を通して、ねじ孔２７に螺合することにより、係止部材２２の固定がなされる。
【００２３】
各係止部材２２のフック２５ａに対応して、透視可能パネル２の縦サッシ１５の裏面、および化粧パネル３の裏面の両側部には、上下方向に長い長孔状の複数の係止孔３０が形成されており、フック２５ａが係止孔３０の上縁に係合した状態で、透視可能パネル２および化粧パネル３の両側部の位置決め固定がなされるようになっている。
【００２４】
前後の透視可能パネル２における左右の縦サッシ１５の裏面には、係止部材２２より内方において、互いに対向して、先端同士が突き合わされるか、又は近接するようにした遮蔽用の突片１５ａ、１５ａがそれぞれ設けられており、両突片１５ａ、１５ａにより、係止部材２２およびそのねじ結合部が内側より覆われるので、それらが透視可能パネル２、２を通して外部に露呈することがなく、美麗な外観を呈することができる。
【００２５】
上記間仕切パネル１の組立作業は、図６、および図７に示すように、移動操作用ボルト２９により係止部材２２をフレーム２１の両側部内側に仮固定し、かつフレーム２１の前後の面を、前後の透視可能パネル２および化粧パネル３で挟んだ状態で、それらを床面または適宜の支持台(図示略)上に水平に載置する。
このとき、上下の横杆２０、２０のフランジ２０ａ、２０ａにより、透視可能パネル２と化粧パネル３とが両側から挟まれ、かつ各係止部材２２のフック２５ａが、対応する透視可能パネル２および化粧パネル３の係止孔３０に嵌合するようにして、透視可能パネル２および化粧パネル３の上にフレーム２１と各係止部材２２とを重ね、さらにその上に、別の透視可能パネル２および化粧パネル３を、上記と同様にして重ねておく。
【００２６】
次に、移動操作用ボルト２９を、図６、および図７における矢印方向、すなわち各フック２５ａの先端が向く方向に移動させて、フック２５ａを係止孔３０の縁に係合させるとともに、係止部材２２のねじ孔２７を、ねじ挿通孔２３に一致させ、その状態で、固定用ねじＢを、ねじ挿通孔２３を通して、ねじ孔２７に螺合することにより、透視可能パネル２および化粧パネル３を、フレーム２１に位置決めして固定する。
【００２７】
その後、透視可能パネル２の上端および化粧パネル３の下端を、上下の横杆２０、２０のフランジ２０ａ、２０ａに、固定用ねじＢをもってねじ止めする。
【００２８】
なお、本実施形態では、透視可能パネル２および化粧パネル３を、上下方向に離間したそれらに専用の複数の係止部材２２をもって、フレーム２１に装着しているが、上下方向を向く１個の共通の係止部材をもって、透視可能パネル２と化粧パネル３とを、フレーム２１に同時に装着するようにしてもよい。
また組立手順としては、透視可能パネル２の上端および化粧パネル３の下端を先に、上下のフランジ２０ａにねじ止めしておき、その後、透視可能パネル２および化粧パネル３の両側部を、係止部材２２をもって、フレーム２１に固定してもよい。
【００２９】
図３は、組立完了状態における間仕切パネル１の横断平断面である。図３における右方の縦杆１９の横断面は、外側方に向かって開口する凹状をなし、その内側に、１対のシール部材３１が設けられている。
左方の縦杆１９は、右方の縦杆１９の凹状と補形をなす凸状をなし、これによって隣合う間仕切パネル１、１同士を接合した際に、その凹状部分と凸状部分とが互いに嵌合し合い、両間仕切パネル１、１が、隙間なく配置されるようになっている。
また、左右の縦杆１９、１９の外側面中央部には、固定用ねじＢの頭部を覆うように、ゴム等の弾性体からなる閉塞部材３２が、着脱自在に装着されている。
【００３０】
図８(ａ)〜(ｃ)は、間仕切パネル１の変形例を示す。
(ａ)は、上側に位置する透視可能パネル２の高さを、全高の２／３程度とし、下部の残部を化粧パネル３とした場合を示し、(ｂ)は、前後両面に、１枚の透視可能パネル２を装着した場合を示し、(ｃ)は、間仕切パネル１の全高を３分割し、その全てを透視可能パネル２とした場合を示している。
上記(ｂ)および(ｃ)の場合は、フレーム２１における下方の横杆２０にも、遮蔽板１３と同様のものを、上下逆向きとして被嵌し、下方の横杆２０に、遮蔽板１３と同様にして、接着または固着する。
【００３１】
このように、本発明においては、目的や用途に応じて、形状や構造を種々選択することができる。
【図面の簡単な説明】
【００３２】
【図１】本発明の間仕切パネルの一実施形態を、天井に設けたレールに沿って移動するランナに吊支した状態を示す正面図である。
【図２】図１のII-II線に沿う拡大縦断側面図である。
【図３】図１のIII−III線に沿う拡大横断平面図である。
【図４】図２のIV部の拡大縦断側面図である。
【図５】本発明の間仕切パネルの一実施形態の分解斜視図である。
【図６】同じく、組立て途中の状況を示す斜視図である。
【図７】図６におけるVII−VII線に沿う拡大縦断面図である。
【図８】(ａ)〜(ｃ)は、本発明の間仕切パネルのそれぞれ別の変形例を示す正面図である。
【符号の説明】
【００３３】
１  間仕切パネル
２  透視可能パネル
２ａパネル基材
３  化粧パネル
３ａパネル基材
３ｂ折曲片
３ｃ係止片
４  天井
５  レール
５ａ、５ｂ  レール受け片
６  ランナ
７  吊りボルト
８  床
９  スペーサ
１０、１１  水平ローラ
１２  隙間閉塞部材
１３  遮蔽板
１４  上部サッシ
１５  縦サッシ
１５ａ突片
１６  下部サッシ
１６ａサッシ部
１６ｂスペーサ部(突片)
１６ｃ係合溝
１６ｄ当接面
１７  シール材
１８  断熱材
１９  縦杆
２０  横杆
２０ａフランジ
２１  フレーム
２２  係止部材
２３  ねじ挿通孔
２４  長孔
２５  板材
２５ａフック
２６  補強材
２７、２８  ねじ孔
２９  移動操作用ボルト
３０  係止孔
３１  シール部材
３２  閉塞部材
Ｂ  固定用ねじ
【図１】
0005103093.tif 000002
【図２】
0005103093.tif 000003
【図３】
0005103093.tif 000004
【図４】
0005103093.tif 000005
【図５】
0005103093.tif 000006
【図６】
0005103093.tif 000007
【図７】
0005103093.tif 000008
【図８】
0005103093.tif 000009